(57)【要約】【課題】収納奥行方向両側に抽斗を出し入れ自在としながらも、収納本体の反引き出し側の開口部を閉鎖可能とし、かつ構造の簡略化を図り得る収納装置を提供する。【解決手段】収納本体１０の収納奥行方向に貫通する抽斗収納空間１２，１３，１３に対して収納奥行方向両側に出し入れ自在とされ、かつ上方に開口する内箱２１と、前記内箱の収納奥行方向両側面２２，２２に対して磁石２３，２８を介して接離自在に保持され、かつ前記抽斗収納空間の収納奥行方向両側の開口部をそれぞれに閉鎖する位置で前記収納本体に対して磁石１４，２７を介して接離自在に保持される一対の前板２５，２５と、を備えており、これら一対の前板には、前記内箱の手掛部２４，２４への手掛けを可能とする手指挿入部２９，２９がそれぞれに設けられている。【選択図】図１
2015112304.tif 000002
【特許請求の範囲】
【請求項１】
収納本体の収納奥行方向に貫通する抽斗収納空間に対して収納奥行方向両側に出し入れ自在とされ、かつ上方に開口する内箱と、
前記内箱の収納奥行方向両側面に対して磁石を介して接離自在に保持され、かつ前記抽斗収納空間の収納奥行方向両側の開口部をそれぞれに閉鎖する位置で前記収納本体に対して磁石を介して接離自在に保持される一対の前板と、を備えており、
これら一対の前板には、前記内箱の手掛部への手掛けを可能とする手指挿入部がそれぞれに設けられていることを特徴とする収納装置。
【請求項２】
請求項１において、
前記一対の前板の手指挿入部は、これら一対の前板の板厚方向に貫通する手指挿入孔部とされ、
前記内箱の手掛部は、前記手指挿入孔部に応じた位置となるように収納奥行方向両側面に設けられた摘み部とされていることを特徴とする収納装置。
【請求項３】
請求項１において、
前記一対の前板の手指挿入部は、これら一対の前板の下端部に下方に向けて開口するように設けられた手指挿入凹部とされ、
前記内箱の手掛部は、前記手指挿入凹部に応じた位置となるように収納奥行方向両側部の底部に設けられた手掛凹部とされていることを特徴とする収納装置。
【発明の詳細な説明】
【技術分野】
【０００１】
本発明は、抽斗を備えた収納装置に関する。
【背景技術】
【０００２】
従来より、キャビネット等の家具本体を構成する収納本体の収納奥行方向に貫通する抽斗収納空間に対して収納奥行方向両側に出し入れ自在に抽斗を設けた収納装置が知られている。このような収納装置としては、例えば、抽斗の全体を、収納本体の抽斗収納空間に対して出し入れ自在とした構成、つまりは、抽斗を引き出した側とは異なる側が大きく凹む構成とされたものがある。このようなものでは、抽斗を収納させる際に、出し入れ方向（収納奥行方向）における位置決めがし難く、使い勝手や見栄えが悪くなるという問題があった。
【０００３】
例えば、下記特許文献１には、摺動方向前後双方向に引き出し可能とした抽斗を、収納フレームに内挿された内箱と、収納フレームの両側の開口をそれぞれに閉塞するように内箱の摺動方向前後両側に配設された面材と、を備えた構成とした収納が開示されている。この収納は、内箱と内箱を引き出す方向側に配設された面材とが連結され、他側に配置された面材を収納フレームに保持された状態とするために、面材と内箱との連結及び連結解除機構並びに収納フレームへの面材の保持機構を設けた構成とされている。また、連結及び連結解除機構として、面材の引手部に操作部材としてのレバーを設け、該レバーの操作によって緊緩される操作ワイヤー上に、内箱の側面に設けられた係止部材に係止する係止片を設けた構成等が開示されている。
【先行技術文献】
【特許文献】
【０００４】
【特許文献１】特開２００５−２１１２６７号公報
【発明の概要】
【発明が解決しようとする課題】
【０００５】
しかしながら、上記特許文献１に記載された収納では、面材に操作部材としてのレバーを設けたり、内箱の側面にレバーの操作を伴い係止される係止部材等を設けたりする必要があり、構造が複雑化し、更なる改善が望まれる。
【０００６】
本発明は、上記実情に鑑みてなされたものであり、収納奥行方向両側に抽斗を出し入れ自在としながらも、収納本体の反引き出し側の開口部を閉鎖可能とし、かつ構造の簡略化を図り得る収納装置を提供することを目的としている。
【課題を解決するための手段】
【０００７】
上記目的を達成するために、本発明に係る収納装置は、収納本体の収納奥行方向に貫通する抽斗収納空間に対して収納奥行方向両側に出し入れ自在とされ、かつ上方に開口する内箱と、前記内箱の収納奥行方向両側面に対して磁石を介して接離自在に保持され、かつ前記抽斗収納空間の収納奥行方向両側の開口部をそれぞれに閉鎖する位置で前記収納本体に対して磁石を介して接離自在に保持される一対の前板と、を備えており、これら一対の前板には、前記内箱の手掛部への手掛けを可能とする手指挿入部がそれぞれに設けられていることを特徴とする。
【０００８】
本発明においては、前記一対の前板の手指挿入部を、これら一対の前板の板厚方向に貫通する手指挿入孔部とし、前記内箱の手掛部を、前記手指挿入孔部に応じた位置となるように収納奥行方向両側面に設けられた摘み部としてもよい。
また、本発明においては、前記一対の前板の手指挿入部を、これら一対の前板の下端部に下方に向けて開口するように設けられた手指挿入凹部とし、前記内箱の手掛部を、前記手指挿入凹部に応じた位置となるように収納奥行方向両側部の底部に設けられた手掛凹部としてもよい。
【発明の効果】
【０００９】
本発明に係る収納装置は、上述のような構成としたことで、収納奥行方向両側に抽斗を出し入れ自在としながらも、収納本体の反引き出し側の開口部を閉鎖可能で、かつ構造の簡略化を図ることができる。
【図面の簡単な説明】
【００１０】
【図１】（ａ）、（ｂ）は、いずれも本発明の一実施形態に係る収納装置の一例を模式的に示し、（ａ）は、（ｂ）におけるＸ１−Ｘ１線矢視に対応させた概略横断面図、（ｂ）は、概略正面図である。
【図２】（ａ）、（ｂ）は、図１（ａ）に対応させた概略横断面図である。
【図３】（ａ）、（ｂ）は、いずれも本発明の他の実施形態に係る収納装置の一例を模式的に示し、（ａ）は、（ｂ）におけるＸ２−Ｘ２線矢視に対応させた概略横断面図、（ｂ）は、概略正面図である。
【発明を実施するための形態】
【００１１】
以下に本発明の実施の形態について、図面に基づいて説明する。
図１及び図２は、第１実施形態に係る収納装置の一例を模式的に示す図である。
本実施形態に係る収納装置１は、収納本体１０と、この収納本体１０の収納奥行方向に貫通する抽斗収納空間１２，１３，１３に収納される抽斗２０と、を備えている。この抽斗２０は、抽斗収納空間１２，１３，１３に対して収納奥行方向両側に出し入れ自在とされ、かつ上方に開口する内箱２１と、この内箱２１の収納奥行方向両側面２２，２２に対して磁石２３，２８を介して接離自在に保持される一対の前板２５，２５と、を備えている。これら一対の前板２５，２５は、抽斗収納空間１２，１３，１３の収納奥行方向両側の開口部をそれぞれに閉鎖する位置で収納本体１０に対して磁石１４，２７を介して接離自在に保持される構成とされている。
【００１２】
この収納装置１は、図２（ａ）に示すように、当該収納装置１の収納奥行方向両側のうちの一方側空間２側において抽斗２０（内箱２１）の出し入れが可能とされ、かつ図２（ｂ）に示すように、他方側空間３側において抽斗２０（内箱２１）の出し入れが可能とされている。
この収納装置１は、例えば、収納奥行方向一方側を一方側空間２としてのキッチンスペースに向け、収納奥行方向他方側を他方側空間３としてのダイニングやリビングスペースに向けて設置されるものとしてもよい。また、当該収納装置１は、収納奥行方向一方側を一方側空間２としてのダイニングスペースや玄関スペース、廊下等に向け、収納奥行方向他方側を他方側空間３としてのリビングスペースや種々の居室空間、収納空間等に向けて設置されるものとしてもよい。また、この収納装置１は、例えば、キッチン天板上や他の収納装置上に載置するように設置されるものとしてもよく、床（土間）上に設置されるものとしてもよい。当該収納装置１の設置態様としては、その他、種々の設置態様の採用が可能であり、収納奥行方向両側において共通の収納物を出納したいような要望のある箇所に当該収納装置１を設置するようにしてもよい。
【００１３】
また、図１（ｂ）に示すように、収納本体１０に単一の抽斗２０を設けて単一の収納部としての抽斗収納を設けた例を示しているが、このような態様に限られない。例えば、収納本体１０に収納間口方向及び上下方向のうちの両方向またはいずれか一方向に複数の収納部を設けたような態様等としてもよい。この場合、複数の収納部のうちの全てを、後記する抽斗２０を設けた抽斗収納としてもよく、または、複数の収納部のうちの一部を、他の抽斗を設けた抽斗収納としたり、開き戸や引戸を設けた収納としたり、さらには、オープンラック状の収納としたりしてもよい。
【００１４】
収納本体１０は、抽斗収納空間１２，１３，１３の収納間口方向両側を区画する両側板部と、抽斗収納空間１２，１３，１３の上下方向両側を区画する天板部及び底板部と、を備えている。これら側板部、天板部及び底板部の全部または一部を、他の収納部から区画する縦仕切板部や横仕切板部（棚板）等としてもよい。
また、収納本体１０は、図１（ｂ）に示すように、収納奥行方向に見て、外郭形状が略矩形状とされ、抽斗収納空間１２，１３，１３の収納奥行方向に見た形状も略矩形状とされている。
【００１５】
また、収納本体１０の収納奥行方向両側には、抽斗２０の一対の前板２５，２５の収納奥行方向中心側への移動を抑制する抑制部がそれぞれに設けられている。これら両側の抑制部は、収納奥行方向外方側に向き、一対の前板２５，２５の周端部の収納奥行方向中心側に向く面（裏面）に当接してこれら前板２５，２５の収納奥行方向中心側への移動を抑制する構成とされている。つまり、各前板２５，２５は、これら収納奥行方向両側の各抑制部に当接されて各開口部を閉鎖する閉鎖位置において位置決めされる。
本実施形態では、収納本体１０の収納奥行方向両側に、一対の前板２５，２５をそれぞれに受け入れる前板収納空間１３，１３を設けた構成とし、これら前板収納空間１３，１３の収納奥行方向外方側に向く面を両側の抑制部とした構成としている。また、本実施形態では、これら両側の前板収納空間１３，１３を、抽斗２０の内箱２１を収納奥行方向両側に出し入れ自在とする内箱収納空間１２を上下両側及び収納間口方向両側に大きくするように設けた構成としている。つまり、前板収納空間１３，１３は、内箱収納空間１２の収納奥行方向両側の開口周縁部に全周に亘って凹段部状に設けられている。つまりは、本実施形態では、収納奥行方向両側の抑制部を、各前板２５，２５の四周端部に全周に亘って当接する構成としている。
【００１６】
これら前板収納空間１３，１３及び内箱収納空間１２は、収納本体１０の抽斗収納空間を構成する。
抽斗収納空間（内箱収納空間）１２には、抽斗２０の内箱２１を、収納本体１０に対して出し入れ自在にガイドするガイド部が設けられている。このようなガイド部としては、内箱収納空間１２の収納間口方向両側の互いに向き合う内側面に取り付けられ、内箱２１をスライド自在に支持するスライドレール等としてもよい。また、例えば、内箱収納空間１２の両内側面に収納奥行方向に延び互いに向き合う方向に突出する突片部を設け、これら両突片部が挿入される凹溝を内箱２１に設けたような構成としたり、これら突片部と凹溝とを逆側に設けたような構成としたりしてもよい。図例では、内箱収納空間１２の両内側面を内箱２１の収納間口方向両外側面に近接または当接させ、内箱収納空間１２の上方側に向く底面に内箱２１の下面を当接させて内箱２１を収納本体１０に対して出し入れ自在にガイドする構成としている。また、図例では、内箱収納空間１２の下方側に向く天面に内箱２１の上面が近接する構成とした例を示している。
【００１７】
各前板収納空間１３，１３は、互いに同様の構成とされており、上下寸法及び収納間口寸法が内箱収納空間１２の上下寸法及び収納間口寸法よりも大きい寸法とされている。
また、本実施形態では、これら前板収納空間１３，１３を、閉鎖位置とされた各前板２５，２５の収納奥行方向外方側に向く面（表面）２６，２６が、これらが設けられた側の収納本体１０の収納奥行方向外方側に向く面（表面）１１，１１と略同一平面状となるように設けている。つまり、これら前板収納空間１３，１３の収納奥行方向に沿う寸法（深さ寸法）を、各前板２５，２５の厚さ寸法と略同寸法としている。
【００１８】
なお、図例では、内箱収納空間１２の上下寸法及び収納間口寸法を、収納奥行方向の全体に亘って同一寸法とし、各前板収納空間１３，１３の上下寸法及び収納間口寸法よりも小さい寸法とした例を示しているが、このような態様に限られない。例えば、収納本体１０の内周面に、各前板収納空間１３，１３の収納奥行方向外方側に向く面を構成する突片部を突出させるように設けたような構成としてもよい。
また、収納本体１０の収納奥行方向両側の抑制部としては、上記したような態様に限られず、一対の前板２５，２５の周端部の少なくとも一部の裏面に当接するような構成としてもよい。例えば、収納本体１０の収納奥行方向両側に、各前板２５，２５の収納間口方向両端部に当接するように抑制部を設けたような態様等としてもよい。
【００１９】
また、収納本体１０の収納奥行方向両側には、磁力によって一対の前板２５，２５を閉鎖位置で接離自在に保持するための磁力保持部１４，１４が設けられている。これら磁力保持部１４，１４は、各前板２５，２５側に設けられた磁力保持部２７，２７とによって各前板２５，２５を閉鎖位置において保持可能で、後記するように引き出す際に引き出し側の前板２５の収納本体１０に対する離反が可能な構成とされている。つまり、図２に示すように、反引き出し側の前板２５は、収納本体１０の反引き出し側の開口部を閉鎖する位置で磁力によって収納本体１０に対して保持される構成とされている。
本実施形態では、収納本体１０の磁力保持部を磁石１４，１４としている。
また、これら磁石１４，１４は、上記した抑制部に応じた位置に設けられている。本実施形態では、図１（ｂ）に示すように、収納本体１０の収納奥行方向両側の前板収納空間１３，１３の収納間口方向両側の収納奥行方向外方側に向く部位のそれぞれに磁石１４，１４，１４，１４を設けた構成としている。
【００２０】
なお、これら磁石１４，１４，１４，１４を、埋め込み状に設けるようにしてもよく、または、前板収納空間１３，１３の収納間口方向両側の収納奥行方向外方側に向く面を構成するように露出状若しくは付設状に設けるようにしてもよい。つまりは、これら磁石１４，１４，１４が抑制部を構成するようにしてもよい。
また、図例では、それぞれの部位（収納奥行方向両側の収納間口方向両側の部位）に上下に長尺な略矩形状とされた単一の磁石１４を設けたような例を示しているが、それぞれの部位に複数の磁石１４を設けた構成としてもよい。
【００２１】
抽斗２０の一対の前板２５，２５は、収納奥行方向に板厚方向を沿わせて配される略矩形平板状とされている。
これら一対の前板２５，２５は、互いに略同寸同形状とされている。また、これら一対の前板２５，２５は、上下寸法及び収納間口方向に沿う寸法が、収納本体１０の収納奥行方向両側の前板収納空間１３，１３の上下寸法及び収納間口寸法に応じた寸法とされ、これら前板収納空間１３，１３に嵌め込まれるように収納される構成とされている。
【００２２】
また、これら一対の前板２５，２５には、これら前板２５，２５を収納本体１０に対して磁力によって閉鎖位置で接離自在に保持させるための収納本体用磁力保持部２７，２７が設けられている。本実施形態では、これらを磁石（収納本体用磁石）２７，２７としている。
つまり、本実施形態では、収納本体１０側及びこれの収納奥行方向両側に接離自在に保持される前板２５，２５側のそれぞれに磁石１４，１４，２７，２７を設けた構成としている。これら収納本体用磁石２７，２７は、収納奥行方向に見て、収納本体１０に設けられた磁石１４，１４と重なり合う位置となるように設けられている。つまり、各前板２５，２５の収納間口方向両端部に収納本体用磁石２７，２７，２７，２７を設けた構成としている。
【００２３】
また、これら一対の前板２５，２５には、これら前板２５，２５を内箱２１の収納奥行方向両側面となる収納奥行方向外方側を向く外方側表面２２，２２に対して磁力によって接離自在に保持させるための内箱用磁力保持部２８，２８が設けられている。これら内箱用磁力保持部２８，２８は、内箱２１側に設けられた磁力保持部２３，２３とによって各前板２５，２５を内箱２１の各外方側表面２２，２２に対してこれらに沿わせるように保持可能で、後記するように引き出す際に反引き出し側の前板２５の内箱２１に対する離反が可能な構成とされている。つまり、図２に示すように、引き出し側の前板２５は、この前板２５が当接される内箱２１の外方側表面２２に沿うように磁力によって内箱２１に対して保持される構成とされている。
【００２４】
本実施形態では、これら内箱用磁力保持部を磁石（内箱用磁石）２８，２８としている。また、本実施形態では、各前板２５，２５における収納本体用磁石２７，２７，２７，２７の収納間口方向中心側のそれぞれに、これら内箱用磁石２８，２８，２８，２８を設けた構成としている。図例では、各前板２５，２５のそれぞれの内箱用磁石２８，２８，２８，２８を、各前板２５，２５の収納間口方向中心から略等間隔を空けて収納間口方向両側に設けた構成としている。これら内箱用磁石２８，２８，２８，２８は、収納奥行方向に見て、内箱２１と重なり合う位置となるように設けられている。
【００２５】
これら前板２５，２５に設けられた各磁石２７，２８は、各前板２５，２５の裏面側に設けられている。なお、これら磁石２７，２８を、上記と概ね同様、各前板２５，２５に埋め込み状に設けるようにしてもよく、または、各前板２５，２５の裏面を構成するように露出状若しくは付設状に設けるようにしてもよい。
また、図例では、上記と概ね同様、上下に長尺な略矩形状とされた単一の磁石２７，２８を各部位に設けたような例を示しているが、各部位に複数の磁石２７，２８を設けた構成としてもよい。
【００２６】
また、一対の前板２５，２５には、内箱２１の手掛部２４，２４への手掛けを可能とする手指挿入部２９，２９がそれぞれに設けられている。これら手指挿入部２９，２９は、一方の前板２５の手指挿入部２９，２９を介して内箱２１の収納奥行方向両側の手掛部２４，２４のうちの一方に手掛けして該一方の前板２５とともに内箱２１の引き出しが可能なように設けられている。また、これら手指挿入部２９，２９は、収納奥行方向に見て一致する位置となるように設けられている。本実施形態では、これら手指挿入部２９，２９を互いに同様の構成としている。
【００２７】
また、本実施形態では、これら手指挿入部２９，２９を、一対の前板２５，２５の板厚方向に貫通する手指挿入孔部２９，２９としている。
本実施形態では、これら手指挿入孔部２９，２９を、各前板２５，２５の収納間口方向略中心に設けた構成としている。また、これら手指挿入孔部２９，２９を、各前板２５，２５の上下方向略中心に設けた構成としている。
また、図例では、これら手指挿入孔部２９，２９を、板厚方向に見て、略円形状とした例を示しているが、略方形状としたり、他の略多角形状等としたりしてもよい。
【００２８】
抽斗２０の内箱２１は、収納奥行方向両側を区画する両側の外方側表面板部と収納間口方向両側を区画する両側板部と下方側を区画する底板部とを備え、これらによって上方に向けて開口した箱状とされている。なお、この内箱２１の収納間口方向両側を区画する両側板部は、板状とされたものに限られず、棒状部材や線材等によって構成されたものとしてもよい。
この内箱２１の収納奥行方向両側部には、当該内箱２１の外方側表面２２，２２に沿わせるように各前板２５，２５を当該内箱２１に対して磁力によって接離自在に保持するための磁力保持部２３，２３が設けられている。本実施形態では、内箱２１の磁力保持部を磁石２３，２３としている。
つまり、本実施形態では、内箱２１側及びこれの収納奥行方向両側に接離自在に保持される前板２５，２５側のそれぞれに磁石２３，２３，２８，２８を設けた構成としている。これら内箱２１に設けられた磁石２３，２３は、収納奥行方向に見て、各前板２５，２５に設けられた内箱用磁石２８，２８と重なり合う位置となるように設けられている。つまり、内箱２１の収納奥行方向両側部のそれぞれの磁石２３，２３，２３，２３を、収納奥行方向両側部の収納間口方向中心から略等間隔を空けて収納間口方向両側に設けた構成としている。
【００２９】
この内箱２１の収納奥行方向両側部に設けられた各磁石２３，２３，２３，２３は、外方側表面２２，２２側に設けられている。なお、これら磁石２３，２３，２３，２３を、上記と概ね同様、内箱２１の収納奥行方向両側部に埋め込み状に設けるようにしてもよく、または、各外方側表面２２，２２を構成するように露出状若しくは付設状に設けるようにしてもよい。
また、図例では、上記と概ね同様、上下に長尺な略矩形状とされた単一の磁石２３，２３，２３，２３を各部位に設けたような例を示しているが、各部位に複数の磁石２３，２３，２３，２３を設けた構成としてもよい。
【００３０】
また、内箱２１の各外方側表面２２，２２に対して磁石２３，２８を介して接離自在に各前板２５，２５を保持する態様としては、上記したような態様に限られない。例えば、内箱２１の磁力保持部２３及び前板２５の内箱用磁力保持部２８のうちの一方を磁石とし、他方を該磁石に吸着される金属等からなる強磁性体としてもよい。この場合、内箱２１の少なくとも収納奥行方向両側部自体または前板２５，２５自体を、強磁性体から形成されたものとしてもよい。
また、内箱２１の各外方側表面２２，２２に対する各前板２５，２５の面域方向への位置ずれを抑制する係合部を内箱２１及び前板２５，２５に設けるようにしてもよい。このような係合部としては、内箱２１及び前板２５，２５の一方に、収納奥行方向に沿って突出する係合凸部を設け、他方に、収納奥行方向に沿って開口し係合凸部が嵌め入れられる係合凹部を設けたような態様等としてもよい。また、この場合、磁力保持部２３，２８が係合部を構成するような態様等としてもよい。
また、収納奥行方向両側の開口部をそれぞれに閉鎖する位置で収納本体１０に対して磁石１４，２７を介して接離自在に各前板２５，２５を保持する態様も概ね同様、上記したような態様に限られない。例えば、収納本体１０の磁力保持部１４及び前板２５の収納本体用磁力保持部２７のうちの一方を磁石とし、他方を該磁石に吸着される金属等からなる強磁性体としてもよい。
【００３１】
内箱２１の収納奥行方向両側部に設けられた手掛部２４，２４は、本実施形態では、各前板２５，２５に設けられた手指挿入孔部２９，２９に応じた位置となるように、両外方側表面２２，２２に設けられた摘み部２４，２４とされている。つまり、これら摘み部２４，２４は、収納奥行方向に見て、各前板２５，２５に設けられた手指挿入孔部２９，２９に重なり合う位置となるように設けられている。本実施形態では、これら摘み部２４，２４を、内箱２１の収納奥行方向両側部の収納間口方向略中心に設けた構成としている。また、これら摘み部２４，２４を、内箱２１の収納奥行方向両側部の上下方向略中心に設けた構成としている。
【００３２】
また、これら摘み部２４，２４は、内箱２１の各外方側表面２２，２２から収納奥行方向外方側に向けて突出するように設けられている。また、これら摘み部２４，２４は、互いに同様の構成とされている。
また、本実施形態では、これら摘み部２４，２４を、各前板２５，２５の裏面が内箱２１の各外方側表面２２，２２に当接した状態で、各前板２５，２５の表面２６，２６から突出しないように設けた構成としている。つまり、これら摘み部２４，２４の突出寸法を、各前板２５，２５の厚さ寸法と略同寸法または各前板２５，２５の厚さ寸法よりも小さい寸法としている。なお、このような態様に代えて、これら摘み部２４，２４を、各前板２５，２５の裏面が内箱２１の各外方側表面２２，２２に当接した状態で、各前板２５，２５の表面２６，２６から突出するような構成としてもよい。
【００３３】
また、これら摘み部２４，２４は、各前板２５，２５の手指挿入孔部２９，２９を介して挿入された手指によって摘めるよう手指挿入孔部２９，２９よりも小径状とされている。つまり、これら摘み部２４，２４の外周面と手指挿入孔部２９，２９の内周面との間に手指の挿入が可能な構成としている。図例では、これら摘み部２４，２４を、収納奥行方向に見て略円形状の略円柱形状とし、各前板２５，２５の手指挿入孔部２９，２９と略同軸状となるように設けた例を示している。なお、摘み部２４，２４としては、このような略円柱形状とされたものに限られず、略多角柱形状等とされたものとしてもよい。また、摘み部２４，２４の外周面にローレット加工等を施したり、滑り止め材等を貼着したりすることで、摘み部２４，２４の外周面を、滑り止め性を有した外周面としてもよい。また、摘み部２４，２４の突出方向先端部に、摘み易いように、基端側部位よりも拡径させた拡径部を設けた構成等としてもよい。
また、内箱２１及び収納本体１０の両方または一方に、引き出された状態の内箱２１の更なる引き出し側への引き出しを抑止するストッパー等の抑止部を設けるようにしてもよい。
【００３４】
上記構成とされた収納装置１の収納本体１０から抽斗２０の内箱２１を出し入れする際には、例えば、以下のようにしてもよい。
図２（ａ）に示すように、一方側空間２側において抽斗２０の内箱２１を引き出す際には、一方の前板２５の手指挿入部（手指挿入孔部）２９を介して、内箱２１の収納奥行方向一方側の手掛部（摘み部）２４に手掛けし、内箱２１を一方の前板２５とともに引き出す。これにより、他方の前板２５は、内箱２１の収納奥行方向他方側の外方側表面２２から離反する。また、このように引き出した状態では、他方の前板２５は、収納本体１０の収納奥行方向他方側の開口部を閉鎖する位置で磁石１４，２７を介して収納本体１０に対して保持された状態となる。また、引き出した状態では、一方の前板２５は、内箱２１の収納奥行方向一方側の外方側表面２２に対して磁石２３，２８を介して保持された状態となる。
【００３５】
上記のように一方側空間２側において引き出された抽斗２０の内箱２１を、収納する際には、例えば、一方の前板２５を押し込むようにして収納するようにしてもよい。これにより、一方の前板２５が収納本体１０の収納奥行方向一方側の抑制部に当接し、収納本体１０の収納奥行方向一方側の開口部を閉鎖する位置で磁石１４，２７を介して収納本体１０に対して保持された状態となる。また、このように収納した状態では、内箱２１の収納奥行方向他方側の外方側表面２２に他方の前板２５が当接する。
なお、図２（ｂ）に示すように、他方側空間３側において抽斗２０の内箱２１を出し入れする際については、上記と概ね同様であるので説明を省略する。
【００３６】
本実施形態に係る収納装置１は、上述のような構成としたことで、収納奥行方向両側に抽斗２０の内箱２１を出し入れ自在としながらも、収納本体１０の反引き出し側の開口部を閉鎖可能で、かつ構造の簡略化を図ることができる。
つまり、収納本体１０の収納奥行方向に貫通する抽斗収納空間１２，１３，１３に対して収納奥行方向両側に出し入れ自在に抽斗２０の内箱２１を設けた構成としている。従って、収納本体１０の収納奥行方向両側において、抽斗２０の内箱２１を出し入れすることができ、この抽斗２０の内箱２１に対して、収納本体１０の収納奥行方向両側において物品等を出納することができ、使い勝手を向上させることができる。
【００３７】
また、抽斗２０を、内箱２１の収納奥行方向両側面（外方側表面）２２，２２に対して磁石２３，２８を介して接離自在に保持され、かつ抽斗収納空間１２，１３，１３の収納奥行方向両側の開口部をそれぞれに閉鎖する位置で収納本体１０に対して磁石１４，２７を介して接離自在に保持される一対の前板２５，２５を備えた構成としている。また、これら一対の前板２５，２５に、内箱２１の手掛部（摘み部）２４，２４への手掛けを可能とする手指挿入部（手指挿入孔部）２９，２９をそれぞれに設けた構成としている。従って、上述のように、一方の前板２５の手指挿入部２９を介して内箱２１の手掛部２４へ手掛けして一方の前板２５とともに内箱２１を引き出せば、他方の前板２５が、反引き出し側の開口部を閉鎖する位置で収納本体１０に対して磁石１４，２７を介して保持された状態となる。これにより、収納本体１０の反引き出し側の開口部を他方の前板２５によって閉鎖した状態にできる。また、引き出した状態では、一方の前板２５を内箱２１に対して磁石２３，２８を介して保持させることができる。また、一方の前板２５とともに内箱２１を抽斗収納空間１２，１３，１３に収納させれば、一方の前板２５が引き出した側の開口部を閉鎖する位置で収納本体１０に対して磁石１４，２７を介して保持され、内箱２１と他方の前板２５とが磁石２３，２８を介して接合される。これにより、例えば、抽斗の全体を、収納本体の抽斗収納空間に対して出し入れ自在としたもののように抽斗を収納する際における位置決めがし難くなるようなことがなく、見栄え良く収納状態とすることができる。また、面材に操作部材としてのレバーを設け、内箱の側面にレバーの操作を伴い係止される係止部材等を設けて面材と内箱との連結及び連結解除機構を構成したようなものと比べて、構造の簡略化を飛躍的に図ることができる。
【００３８】
また、本実施形態では、一対の前板２５，２５の手指挿入部２９，２９を、これら一対の前板２５，２５の板厚方向に貫通する手指挿入孔部２９，２９としている。また、内箱２１の手掛部２４を、手指挿入孔部２９に応じた位置となるように両外方側表面２２，２２に設けられた摘み部２４，２４としている。従って、例えば、内箱２１の手掛部２４を、前板２５の手指挿入孔部２９に対応させて貫通させた孔としたものと比べて、内箱２１内の収納物の落下や露出等を防止することができる。また、内箱２１の手掛部２４をこのような孔状としたり、内箱２１の両外方側表面板部の上端部としたりしたもの等と比べて、手掛けの際に収納物に手指等が接触するようなことを防止することができる。
【００３９】
次に、本発明に係る他の実施形態について、図面を参照しながら説明する。
図３は、第２実施形態に係る収納装置の一例を模式的に示す図である。
なお、第１実施形態との相違点について主に説明し、同様の構成については、同一符号を付し、その説明を省略または簡略に説明する。
【００４０】
本実施形態に係る収納装置１Ａは、抽斗２０Ａの一対の前板２５Ａ，２５Ａの手指挿入部２９Ａ，２９Ａ及び内箱２１Ａの手掛部２４Ａ，２４Ａの構成が上記第１実施形態とは主に異なる。
本実施形態では、図３に示すように、一対の前板２５Ａ，２５Ａの手指挿入部２９Ａ，２９Ａを、これら一対の前板２５Ａ，２５Ａの下端部に下方に向けて開口するように設けられた手指挿入凹部２９Ａ，２９Ａとしている。また、本実施形態では、内箱２１Ａの手掛部２４Ａ，２４Ａを、手指挿入凹部２９Ａ，２９Ａに応じた位置となるように収納奥行方向両側部の底部に設けられた手掛凹部２４Ａ，２４Ａとしている。
【００４１】
各前板２５Ａ，２５Ａの手指挿入凹部２９Ａ，２９Ａは、各前板２５Ａ，２５Ａの下端部の板厚方向の全体に亘って切欠状に設けられている。本実施形態においても、これら手指挿入凹部２９Ａ，２９Ａを、各前板２５Ａ，２５Ａの収納間口方向略中心に設けた構成としている。
また、図例では、これら手指挿入凹部２９Ａ，２９Ａを、板厚方向に見て、略半円形状とした例を示しているが、略方形状としたり、他の略多角形状等としたりしてもよい。
【００４２】
内箱２１Ａの手掛凹部２４Ａ，２４Ａは、収納奥行方向に見て、各前板２５Ａ，２５Ａに設けられた手指挿入凹部２９Ａ，２９Ａに重なり合う位置となるように設けられている。本実施形態では、これら手掛凹部２４Ａ，２４Ａを、内箱２１Ａの収納奥行方向両側部の収納間口方向略中心に設けた構成としている。
これら手掛凹部２４Ａ，２４Ａは、収納奥行方向両側部の底部に下方に向けて開口するように設けられている。これら手掛凹部２４Ａ，２４Ａは、手掛けし易いように、例えば、収納間口方向に延びる凹溝状とされたものとしてもよい。このような態様に代えて、例えば、内箱２１Ａの両外方側表面板部の下端部を底板部よりも下方側に突出させて内箱２１Ａの両外方側表面板部の下端部の収納奥行方向中心側に凹段状の手掛凹部２４Ａ，２４Ａを設けた構成としてもよい。
なお、図３（ｂ）では、手掛凹部２４Ａ，２４Ａの下向き開口を閉鎖するように収納本体１０の内箱収納空間１２の底面が位置しているように図示しているが、手掛凹部２４Ａ，２４Ａに手掛け可能となるように、収納本体１０の少なくとも該当部位が収納奥行方向中心側に位置する構成とされている。
【００４３】
上記構成とされた本実施形態に係る収納装置１Ａにおいても、上記第１実施形態と概ね同様にして、収納本体１０から抽斗２０Ａの内箱２１Ａを出し入れすることが可能であり、また、上記した第１実施形態と概ね同様の効果を奏する。
また、上記第１実施形態と比べて、内箱２１Ａの外方側表面２２Ａ，２２Ａをフラットな面にでき、すっきりとした印象を与えることができる。また、各前板２５Ａ，２５Ａの手指挿入凹部２９Ａ，２９Ａが下端側に位置することからこれらを目立ち難くすることができる。
【００４４】
なお、上記各実施形態では、収納本体１０の収納奥行方向両側に各前板２５，２５，２５Ａ，２５Ａを受け入れる前板収納空間１３，１３を設けた構成とした例を示しているが、このような態様に限られない。例えば、これら前板収納空間１３，１３を設けずに、各前板２５，２５，２５Ａ，２５Ａを収納本体１０の収納奥行方向両側に対してアウトセット状に納める態様としてもよい。この場合は、収納本体１０の収納奥行方向外方側に向く面（表面）１１，１１を抑制部として把握するようにしてもよい。また、各前板２５，２５，２５Ａ，２５Ａの納め態様としては、その他、種々の納め態様の採用が可能である。
また、上記各実施形態では、各前板２５，２５，２５Ａ，２５Ａのそれぞれに単一の手指挿入部２９，２９，２９Ａ，２９Ａを設け、内箱２１，２１Ａの収納奥行方向両側部のそれぞれに単一の手掛部２４，２４，２４Ａ，２４Ａを設けた例を示しているが、このような態様に限られない。各前板２５，２５，２５Ａ，２５Ａのそれぞれに複数の手指挿入部２９，２９，２９Ａ，２９Ａを設け、これらに応じた位置となるように、内箱２１，２１Ａの収納奥行方向両側部のそれぞれに複数の手掛部２４，２４，２４Ａ，２４Ａを設けた構成としてもよい。
【００４５】
また、内箱２１，２１Ａの手掛部としては、上記したような摘み部２４や底部の手掛凹部２４Ａに限られない。例えば、各前板２５，２５に設けられた手指挿入孔部２９，２９に応じた孔状の手掛部を、内箱２１の両外方側表面板部を板厚方向に貫通させて設けたような構成としてもよい。または、内箱の両外方側表面板部の上端部を手掛部とし、各前板の上端部に上方に向けて開口する手指挿入凹部を設けたような構成としてもよい。さらには、内箱の収納奥行方向両側部における収納間口方向両側に凹状の手掛部を設け、各前板の収納間口方向両端部に収納間口方向外方側に向けて開口する手指挿入凹部を設けた構成としてもよい。内箱の手掛部としては、その他、種々の構成とされた手掛部の採用が可能であり、また、前板の手指挿入部も内箱の手掛部に応じて適宜、変形可能である。
【符号の説明】
【００４６】
１，１Ａ          収納装置
１０              収納本体
１２              内箱収納空間（抽斗収納空間）
１３              前板収納空間（抽斗収納空間）
１４              磁石
２０，２０Ａ      抽斗
２１，２１Ａ      内箱
２２，２２Ａ      外方側表面（収納奥行方向側面）
２３              磁石
２４              摘み部（手掛部）
２４Ａ            手掛凹部（手掛部）
２５，２５Ａ      前板
２７              収納本体用磁石（磁石）
２８              内箱用磁石（磁石）
２９              手指挿入孔部（手指挿入部）
２９Ａ            手指挿入凹部（手指挿入部）
【図１】
2015112304.tif 000003
【図２】
2015112304.tif 000004
【図３】
2015112304.tif 000005